(57)【特許請求の範囲】
【請求項１】
網袋の内部に中詰材が充填された袋体を複数並設した土木工事用袋体であって、
隣接する一方の袋体の高さの１／２より上方に取り付けられた一方の上方環状部材と、
隣接する他方の袋体の高さの１／２より上方に取り付けられた他方の上方環状部材と、
隣接する一方の袋体の高さの１／２より下方に取り付けられた長手方向に長い一方の接続部材と、
隣接する他方の袋体の高さの１／２より下方に取り付けられた長手方向に長い他方の接続部材とを備え、
前記他方の接続部材で作った輪の中と前記他方の上方環状部材を通した前記一方の接続部材                          
と
前記一方の上方環状部材を通した前記他方の接続部材
とを
結んで結束したことを特徴とする土木工事用袋体。
【請求項２】
網袋の内部に中詰材が充填された袋体を複数並設し、連結する土木工事用袋体の施工方法であって、
隣接する一方の袋体の高さの１／２より上方に取り付けられた一方の上方環状部材と、
隣接する他方の袋体の高さの１／２より上方に取り付けられた他方の上方環状部材と、
隣接する一方の袋体の高さの１／２より下方に取り付けられた長手方向に長い一方の接続部材と、
隣接する他方の袋体の高さの１／２より下方に取り付けられた長手方向に長い他方の接続部材とを備え、
前記他方の接続部材で作った輪の中と前記他方の上方環状部材を通した前記一方の接続部材                          
と
前記一方の上方環状部材を通した前記他方の接続部材
とを
結んで結束することを特徴とする土木工事用袋体の施工方法。
【請求項３】
他方の接続部材で作った輪が他方の袋体の最下部に設けられ、
一方の上方環状部材が一方の袋体の最上部に取り付けられ、
他方の上方環状部材が他方の袋体の最上部に取り付けられ、
前記一方の上方環状部材と前記他方の上方環状部材とが対向する位置にある
ことを特徴とする請求項１記載の土木工事用袋体。
【請求項４】
他方の接続部材で作った輪が他方の袋体の最下部に設けられ、
一方の上方環状部材が一方の袋体の最上部に取り付けられ、
他方の上方環状部材が他方の袋体の最上部に取り付けられ、
前記一方の上方環状部材と前記他方の上方環状部材とが対向する位置にある
ことを特徴とする請求項２記載の土木工事用袋体の施工方法。
【請求項５】
網袋の内部に中詰材が充填された袋体を複数並設した土木工事用袋体であって、
隣接する一方の袋体の高さの１／２より上方に取り付けられた一方の上方環状部材と、
隣接する他方の袋体の高さの１／２より上方に取り付けられた他方の上方環状部材と、
隣接する他方の袋体の高さの１／２より下方に取り付けられた他方の下方環状部材と、
隣接する一方の袋体の高さの１／２より下方に取り付けられた長手方向に長い一方の接続部材と、
隣接する他方の袋体の高さの１／２より下方に取り付けられた長手方向に長く、 端末がアイになった他方の接続部材とを備え、
前記他方の接続部材の前記アイと前記他方の上方環状部材を通した前記一方の接続部材                          
と
前記他方の下方環状部材を通した前記他方の接続部材
とを
結んで結束したことを特徴とする土木工事用袋体。
【請求項６】
網袋の内部に中詰材が充填された袋体を複数並設し、連結する土木工事用袋体の施工方法であって、
隣接する一方の袋体の上方に取り付けられた一方の上方環状部材と、
隣接する他方の袋体に上方に取り付けられた他方の上方環状部材と、
隣接する他方の袋体に下方に取り付けられた他方の下方環状部材と、
隣接する一方の袋体の下方に取り付けられた長手方向に長い一方の接続部材と、
隣接する他方の袋体の下方に取り付けられた長手方向に長く、 端末がアイになった他方の接続部材とを備え、
前記他方の接続部材の前記アイと前記他方の上方環状部材を通した前記一方の接続部材                          
と
前記他方の下方環状部材を通した前記他方の接続部材
とを
結んで結束することを特徴とする土木工事用袋体の施工方法。
【請求項７】
一方の上方環状部材が一方の袋体の最上部に取り付けられ、
他方の上方環状部材が他方の袋体の最上部に取り付けられ、
他方の下方環状部材が他方の袋体の最下部に取り付けられ、
前記一方の上方環状部材と前記他方の上方環状部材とが対向する位置にある
ことを特徴とする請求項５記載の土木工事用袋体。
【請求項８】
一方の上方環状部材が一方の袋体の最上部に取り付けられ、
他方の上方環状部材が他方の袋体の最上部に取り付けられ、
他方の下方環状部材が他方の袋体の最下部に取り付けられ、
前記一方の上方環状部材と前記他方の上方環状部材とが対向する位置にある
ことを特徴とする請求項６記載の土木工事用袋体の施工方法。
【発明の詳細な説明】
【技術分野】
【０００１】
本発明は、土木工事用袋体及び土木工事用袋体の施工方法に係り、特に、隣接する一方の袋体と隣接する他方の袋体とを強固に連結させることができる土木工事用袋体及び土木工事用袋体の施工方法に関する。
【背景技術】
【０００２】
従来、網袋の内部に中詰材が充填された袋体を複数並設して土木工事用袋体を海岸構造物として形成している。
その際、隣接する一方の袋体の上部と隣接する他方の袋体の上部とを連結部材で連結している。
ところが、地震等の外力により、隣接する袋体同士の下部が離間すると、波の力による吸出し・洗掘の力により土木工事用袋体の効果が損なわれるという問題点が生じた。
【発明の概要】
【発明が解決しようとする課題】
【０００３】
本発明は、上記問題点を考慮してなされた土木工事用袋体及び土木工事用袋体の施工方法を提供することを目的とする。
【課題を解決するための手段】
【０００４】
請求項１記載の土木工事用袋体は、網袋の内部に中詰材が充填された袋体を複数並設した土木工事用袋体であって、隣接する一方の袋体の高さの１／２より上方に取り付けられた一方の上方環状部材と、隣接する他方の袋体の高さの１／２より上方に取り付けられた他方の上方環状部材と、隣接する一方の袋体の高さの１／２より下方に取り付けられた長手方向に長い一方の接続部材と、隣接する他方の袋体の高さの１／２より下方に取り付けられた長手方向に長い他方の接続部材とを備え、前記他方の接続部材で作った輪の中と前記他方の上方環状部材を通した前記一方の接続部材と前記一方の上方環状部材を通した前記他方の接続部材とを結んで結束したものである。
【０００５】
また、請求項２記載の土木工事用袋体の施工方法は、網袋の内部に中詰材が充填された袋体を複数並設し、連結する土木工事用袋体の施工方法であって、隣接する一方の袋体の高さの１／２より上方に取り付けられた一方の上方環状部材と、隣接する他方の袋体の高さの１／２より上方に取り付けられた他方の上方環状部材と、隣接する一方の袋体の高さの１／２より下方に取り付けられた長手方向に長い一方の接続部材と、隣接する他方の袋体の高さの１／２より下方に取り付けられた長手方向に長い他方の接続部材とを備え、前記他方の接続部材で作った輪の中と前記他方の上方環状部材を通した前記一方の接続部材と前記一方の上方環状部材を通した前記他方の接続部材とを結んで結束するものである。
【０００６】
また、請求項３記載の土木工事用袋体は、請求項１記載の土木工事用袋体において、
他方の接続部材で作った輪が他方の袋体の最下部に設けられ、一方の上方環状部材が一方の袋体の最上部に取り付けられ、他方の上方環状部材が他方の袋体の最上部に取り付けられ、  前記一方の上方環状部材と前記他方の上方環状部材とが対向する位置にある。
【０００７】
また、請求項４記載の土木工事用袋体の施工方法は、請求項２記載の土木工事用袋体において、他方の接続部材で作った輪が他方の袋体の最下部に設けられ、一方の上方環状部材が一方の袋体の最上部に取り付けられ、他方の上方環状部材が他方の袋体の最上部に取り付けられ、前記一方の上方環状部材と前記他方の上方環状部材とが対向する位置にある。
【０００８】
また、請求項５記載の土木工事用袋体は、網袋の内部に中詰材が充填された袋体を複数並設した土木工事用袋体であって、隣接する一方の袋体の高さの１／２より上方に取り付けられた一方の上方環状部材と、隣接する他方の袋体の高さの１／２より上方に取り付けられた他方の上方環状部材と、隣接する他方の袋体の高さの１／２より下方に取り付けられた他方の下方環状部材と、隣接する一方の袋体の高さの１／２より下方に取り付けられた長手方向に長い一方の接続部材と、隣接する他方の袋体の高さの１／２より下方に取り付けられた長手方向に長く、 端末がアイになった他方の接続部材とを備え、前記他方の接続部材の前記アイと前記他方の上方環状部材を通した前記一方の接続部材と前記他方の下方環状部材を通した前記他方の接続部材とを結んで結束したものである。
【０００９】
また、請求項６記載の土木工事用袋体の施工方法は、網袋の内部に中詰材が充填された袋体を複数並設し、連結する土木工事用袋体の施工方法であって、隣接する一方の袋体の上方に取り付けられた一方の上方環状部材と、隣接する他方の袋体に上方に取り付けられた他方の上方環状部材と、隣接する他方の袋体に下方に取り付けられた他方の下方環状部材と、隣接する一方の袋体の下方に取り付けられた長手方向に長い一方の接続部材と、隣接する他方の袋体の下方に取り付けられた長手方向に長く、 端末がアイになった他方の接続部材とを備え、前記他方の接続部材の前記アイと前記他方の上方環状部材を通した前記一方の接続部材と前記他方の下方環状部材を通した前記他方の接続部材とを結んで結束するものである。
【００１０】
また、請求項７記載の土木工事用袋体は、請求項５記載の土木工事用袋体において、一方の上方環状部材が一方の袋体の最上部に取り付けられ、他方の上方環状部材が他方の袋体の最上部に取り付けられ、他方の下方環状部材が他方の袋体の最下部に取り付けられ、前記一方の上方環状部材と前記他方の上方環状部材とが対向する位置にある。
【００１１】
また、請求項８記載の土木工事用袋体の施工方法は、請求項６記載の土木工事用袋体の施工方法において、一方の上方環状部材が一方の袋体の最上部に取り付けられ、他方の上方環状部材が他方の袋体の最上部に取り付けられ、他方の下方環状部材が他方の袋体の最下部に取り付けられ、前記一方の上方環状部材と前記他方の上方環状部材とが対向する位置にある。
【発明の効果】
【００１２】
請求項１記載の土木工事用袋体によれば、他方の接続部材で作った輪の中と他方の上方環状部材を通した一方の接続部材と一方の上方環状部材を通した他方の接続部材とを結んで結束したため、隣接する一方の袋体と隣接する他方の袋体とを上方のみならず下方まで結合させ、強固に連結させることができる。
【００１３】
また、請求項２記載の土木工事用袋体の施工方法によれば、他方の接続部材で作った輪の中と他方の上方環状部材を通した一方の接続部材と一方の上方環状部材を通した他方の接続部材とを結んで結束したため、隣接する一方の袋体と隣接する他方の袋体とを上方のみならず下方まで結合させ、強固に連結させることができる。
【００１４】
また、請求項３記載の土木工事用袋体によれば、他方の接続部材で作った輪が他方の袋体の最下部に設けられ、一方の上方環状部材が一方の袋体の最上部に取り付けられ、他方の上方環状部材が他方の袋体の最上部に取り付けられ、前記一方の上方環状部材と前記他方の上方環状部材とが対向する位置にある状況下にあって、他方の接続部材で作った輪の中と他方の上方環状部材を通した一方の接続部材と一方の上方環状部材を通した他方の接続部材とを結んで結束したため、隣接する一方の袋体と隣接する他方の袋体とを最上部のみならず最下部まで効率良く結合させ、強固に連結させることができる。
【００１５】
また、請求項４記載の土木工事用袋体の施工方法によれば、他方の接続部材で作った輪が他方の袋体の最下部に設けられ、一方の上方環状部材が一方の袋体の最上部に取り付けられ、他方の上方環状部材が他方の袋体の最上部に取り付けられ、前記一方の上方環状部材と前記他方の上方環状部材とが対向する位置にある状況下にあって、他方の接続部材で作った輪の中と他方の上方環状部材を通した一方の接続部材と一方の上方環状部材を通した他方の接続部材とを結んで結束したため、隣接する一方の袋体と隣接する他方の袋体とを最上部のみならず最下部まで効率良く結合させ、強固に連結させることができる。
【００１６】
また、請求項５記載の土木工事用袋体によれば、他方の接続部材のアイと他方の上方環状部材を通した一方の接続部材と他方の下方環状部材を通した他方の接続部材とを結んで結束したため、隣接する一方の袋体と隣接する他方の袋体とを上方のみならず下方まで結合させ、強固に連結させることができる。
【００１７】
また、請求項６記載の土木工事用袋体の施工方法によれば、他方の接続部材のアイと他方の上方環状部材を通した一方の接続部材と他方の下方環状部材を通した他方の接続部材とを結んで結束したため、隣接する一方の袋体と隣接する他方の袋体とを上方のみならず下方まで結合させ、強固に連結させることができる。
【００１８】
また、請求項７記載の土木工事用袋体によれば、一方の上方環状部材が一方の袋体の最上部に取り付けられ、他方の上方環状部材が他方の袋体の最上部に取り付けられ、他方の下方環状部材が他方の袋体の最下部に取り付けられ、前記一方の上方環状部材と前記他方の上方環状部材とが対向する位置にあるの状況下にあって、他方の接続部材のアイと他方の上方環状部材を通した一方の接続部材と他方の下方環状部材を通した他方の接続部材とを結んで結束したため、隣接する一方の袋体と隣接する他方の袋体とを最上部のみならず最下部まで効率良く結合させ、強固に連結させることができる。
【００１９】
また、請求項８記載の土木工事用袋体の施工方法によれば、一方の上方環状部材が一方の袋体の最上部に取り付けられ、他方の上方環状部材が他方の袋体の最上部に取り付けられ、他方の下方環状部材が他方の袋体の最下部に取り付けられ、前記一方の上方環状部材と前記他方の上方環状部材とが対向する位置にあるの状況下にあって、他方の接続部材のアイと他方の上方環状部材を通した一方の接続部材と他方の下方環状部材を通した他方の接続部材とを結んで結束したため、隣接する一方の袋体と隣接する他方の袋体とを最上部のみならず最下部まで効率良く結合させ、強固に連結させることができる。
【図面の簡単な説明】
【００２０】
【図１】図１は、本発明の一実施例の土木工事用袋体の概略的斜視図であり、隣接する一方の袋体と隣接する他方の袋体とが接続部材で結束された状態を示している。
【図２】図２は、図１の接続部材で結束途中の状態の土木工事用袋体の概略的斜視図である。
【図３】図３は、図１の土木工事用袋体の結束状態を説明する関係上、隣接する一方の袋体と隣接する他方の袋体とを離間（実際の土木工事用袋体を構成する隣接する一方の袋体と隣接する他方の袋体とは接触乃至近接している。）させた状態を示す概略的斜視図である。
【図４】図４（ａ）は、一方の接続部材を他方の接続部材の輪と他方の上方環状部材に通した状態の概略的斜視図であり、図４（ｂ）は、図４（ａ）の他方の接続部材を一方の上方環状部材に通した状態の概略的斜視図であり、図４（ｃ）は、図４（ｂ）の一方の接続部材と図４（ｂ）の他方の接続部材を結束する状態を示す概略的斜視図である。
【図５】図５は、図１乃至図４に示す土木工事用袋体と異なる他の実施例の土木工事用袋体であって、該土木工事用袋体の結束状態を説明する関係上、隣接する一方の袋体と隣接する他方の袋体とを離間（実際の土木工事用袋体を構成する隣接する一方の袋体と隣接する他方の袋体とは接触乃至近接している。）させた状態を示す概略的斜視図である。
【図６】図６（ａ）は、図５の一方の接続部材を図５の他方の接続部材のアイと他方の上方環状部材を通した状態の概略的斜視図であり、図６（ｂ）は、図６（ａ）の他方の接続部材を引っ張り、該他方の接続部材を一方の上方環状部材に通した状態の概略的斜視図であり、図６（ｃ）は、図６（ｂ）の一方の接続部材と図６（ｂ）の他方の接続部材を結束する状態を示す概略的斜視図である。
【発明を実施するための形態】
【００２１】
本発明の一実施例の土木工事用袋体及び土木工事用袋体の施工方法を図面を参照して説明する。
図１及び図２に示すＢは土木工事用袋体で、土木工事用袋体Ｂは、洪水時の堤防の洗堀等の緊急対策工、河川護岸、橋脚等の根固めブロック工等に使用されるもので、網袋の内部に中詰材１が充填される袋体２、２’を複数並設して使用されるものである。
土木工事用袋体Ｂは、例えば、袋体２、２’を海岸に複数並設して設置し、設置した土木工事用袋体Ｂの上にテトラポット（登録商標）を載置する。
中詰材１は、例えば、玉石、割栗石、コンクリート等である。
袋体２、２’は、具体的には、ナイロン、ポリエステル、ポリエチレン、再生ポリエステル等の合成樹脂製のネットで、袋体２には、中詰材１を、例えば、約１ｔ〜約８ｔ程度のものが充填される。
なお、図３及び図４においては、袋体２、２’の説明の関係上、２個横方向に並設しているが、実際の設置現場においては、袋体２、２’を横方向にも縦方向にも多数並設していくものである。
また、図３及び図４においては、袋体２、２’の説明の関係上、隣接する一方の袋体２と隣接する他方の袋体２’とを離間させているが、実際の設置現場においては、土木工事用袋体を構成する隣接する一方の袋体２の端面と隣接する他方の袋体２’の端面とは接触乃至近接しているものである。
【００２２】
土木工事用袋体（土木工事用袋体の施工方法）Ｂを図３及び図４を参照して説明する。
図３及び図４に示す３は一方の上方環状部材で、一方の上方環状部材３は、隣接する一方の袋体２の高さの１／２より上方に取り付けられ、一方の上方環状部材３は、より望ましくは、一方の袋体２の最上部に取り付けられている。
また、４は他方の上方環状部材で、他方の上方環状部材４は、隣接する他方の袋体２’の高さの１／２より上方に取り付けられ、他方の上方環状部材４は、より望ましくは、他方の袋体２’の最上部に取り付けられている。
そして、一方の上方環状部材３と他方の上方環状部材４とは、対向する位置にある。
【００２３】
また、５は長手方向に長い一方の接続部材で、一方の接続部材５は、隣接する一方の袋体２の高さの１／２より下方に取り付けられ、一方の接続部材５は、より望ましくは、一方の袋体２の最下部に取り付けられている。
６は長手方向に長い他方の接続部材で、他方の接続部材６は、隣接する他方の袋体２’の高さの１／２より下方に取り付けられ、他方の接続部材６は、より望ましくは、他方の袋体２’の最下部に取り付けられている。
６Ａは他方の接続部材６で作った輪で、輪６Ａは隣接する他方の袋体２’の高さの１／２より下方の位置が良く、輪６Ａは、より望ましくは、他方の袋体２’の最下部の位置が良い。
【００２４】
袋体２、２’を連結するには、他方の接続部材６で作った輪６Ａの中と他方の上方環状部材４を通した一方の接続部材５［図４（ａ）参照］と一方の上方環状部材３を通した他方の接続部材６［図４（ｂ）参照］とを結んで結束する［図４（ｃ）及び図１参照］。
その結果、上述した土木工事用袋体（土木工事用袋体の施工方法）によれば、隣接する一方の袋体２と隣接する他方の袋体２’とを上方のみならず下方まで結合させ、強固に連結させることができる。
なお、設置現場においては、他方の接続部材６で作った輪６Ａの中と他方の上方環状部材４を通した一方の接続部材５と一方の上方環状部材３を通した他方の接続部材６とを結束できるように、一方の接続部材５と他方の接続部材６とが袋体２、２’の上端からそれぞれ突出すると共に、一方の袋体２の端面と隣接する他方の袋体２’の端面とが接触乃至近接した状態に施工するようにしている。
【００２５】
次に、述べる実施例は、上述した図１乃至図４記載の土木工事用袋体（土木工事用袋体の施工方法）と異なる他の実施例の土木工事用袋体（土木工事用袋体の施工方法）で、図５及び図６を参照して、以下説明する。
【００２６】
図５及び図６に示す土木工事用袋体Ｂは、上述した図１乃至図４記載の土木工事用袋体（土木工事用袋体の施工方法）と同様、洪水時の堤防の洗堀等の緊急対策工、河川護岸、橋脚等の根固めブロック工等に使用されるもので、網袋の内部に中詰材１が充填される袋体２、２’を複数並設して使用されるもので、
土木工事用袋体Ｂは、例えば、袋体２、２’を海岸に複数並設して設置し、設置した土木工事用袋体Ｂの上にテトラポット（登録商標）を載置する。
中詰材１は、例えば、玉石、割栗石、コンクリート等である。
袋体２、２’は、具体的には、ナイロン、ポリエステル、ポリエチレン、再生ポリエステル等の合成樹脂製のネットで、袋体２には、中詰材１を、例えば、約１ｔ〜約８ｔ程度のものが充填される。
なお、図５及び図６においては、袋体２、２’の説明の関係上、２個横方向に並設しているが、実際の設置現場においては、袋体２、２’を横方向にも縦方向にも多数並設していくものである。
また、図５及び図６においては、袋体２、２’の説明の関係上、隣接する一方の袋体２と隣接する他方の袋体２’とを離間させているが、実際の設置現場においては、土木工事用袋体を構成する隣接する一方の袋体２の端面と隣接する他方の袋体２’の端面とは接触乃至近接しているものである。
【００２７】
図５及び図６に示す３は一方の上方環状部材で、一方の上方環状部材３は、隣接する一方の袋体２の高さの１／２より上方に取り付けられ、一方の上方環状部材３は、より望ましくは、一方の袋体２の最上部に取り付けられている。
また、４は他方の上方環状部材で、他方の上方環状部材４は、隣接する他方の袋体２’の高さの１／２より上方に取り付けられ、他方の上方環状部材４は、より望ましくは、他方の袋体２’の最上部に取り付けられている。
また、７は他方の下方環状部材で、他方の下方環状部材７は、隣接する他方の袋体２’の高さの１／２より下方に取り付けられ、他方の下方環状部材７は、より望ましくは、他方の袋体２’の最下部に取り付けられている。
そして、一方の上方環状部材３と他方の上方環状部材４とは、対向する位置にある。
【００２８】
また、５は長手方向に長い一方の接続部材で、一方の接続部材５は、隣接する一方の袋体２の高さの１／２より下方に取り付けられ、一方の接続部材５は、より望ましくは、一方の袋体２の最下部に取り付けられている。
６は長手方向に長い他方の接続部材で、他方の接続部材６は、隣接する他方の袋体２’の高さの１／２より下方に取り付けられ、他方の接続部材６は、より望ましくは、他方の袋体２’の最下部に取り付けられている。
６Ｂは他方の接続部材６の端末に形成されたアイ（輪）で、アイ６Ｂは隣接する他方の袋体２’の高さの１／２より下方の位置が良く、
なお、アイ６Ｂは、より望ましくは、他方の袋体２’の最下部の位置が良い。また、アイ６Ｂと他方の下方環状部材７との関係は、アイ６Ｂが他方の下方環状部材７を通過できない大きさになるように設定されている。
【００２９】
袋体２、２’を連結するには、他方の接続部材６のアイ６Ｂと他方の上方環状部材４を通した一方の接続部材５［図６（ａ）参照］と他方の下方環状部材７を通した他方の接続部材６［図６（ｂ）参照］とを結んで結束する［図６（ｃ）及び図１参照］。
その結果、上述した土木工事用袋体（土木工事用袋体の施工方法）によれば、隣接する一方の袋体２と隣接する他方の袋体２’とを上方のみならず下方まで結合させ、強固に連結させることができる。
なお、設置現場においては、他方の接続部材６のアイ６Ｂと他方の上方環状部材４を通した一方の接続部材５と一方の上方環状部材３を通した他方の接続部材６とを結束できるように、一方の接続部材５と他方の接続部材６とが袋体２、２’の上端からそれぞれ突出すると共に、一方の袋体２の端面と隣接する他方の袋体２’の端面とが接触乃至近接した状態に施工するようにしている。
【符号の説明】
【００３０】
Ｂ      土木工事用袋体
１      中詰材
２      袋体（一方の袋体）
２’    袋体（他方の袋体）
３      一方の上方環状部材
４      他方の上方環状部材
５      一方の接続部材
６      他方の接続部材
６Ａ    輪
【図１】
0006393656.tif 000002
【図２】
0006393656.tif 000003
【図３】
0006393656.tif 000004
【図４】
0006393656.tif 000005
【図５】
0006393656.tif 000006
【図６】
0006393656.tif 000007